(57)【要約】【課題】  液状化対策が必要な緩い飽和砂地盤においても、スリットから土砂が浸入することを効果的に防止することができ、簡単にかつ効果的に、スリットの目詰まりを防止することができる有孔管材を提供することを目的とする。【解決手段】  有孔管材１は、複数のスリット２ａが形成されたスリット部２と、スリット部２の内面と摺動可能で、複数のスリット２ａをすべて閉塞するように配置された中空な閉塞部材４と、閉塞部材４の中空部を通って、加圧された水または加圧空気を閉塞部材４の下方の土砂堆積部３に注入可能なパイプ部材５を備えている。【選択図】      図４
2015132127.tif 000002
【特許請求の範囲】
【請求項１】
複数のスリットが形成されたスリット部と土砂が堆積可能な土砂堆積部を備え、
前記スリット部の内面と摺動可能で、前記複数のスリットをすべて閉塞するように配置された中空な閉塞部材と、
前記中空な閉塞部材の中空部を通って、加圧された水または加圧空気を前記中空な閉塞部材の下方の前記土砂堆積部に注入可能なパイプ部材を備えた
ことを特徴とする有孔管材。
【請求項２】
前記パイプ部材が前記中空な閉塞部材の前記中空部内に固定されていることを特徴とする請求項１に記載の有孔管材。
【請求項３】
前記中空な閉塞部材がその上面にカップリング部材を備え、前記パイプ部材が前記カップリング部材に連結され、前記中空な閉塞部材の前記中空部に接続されていることを特徴とする請求項１に記載の有孔管材。
【請求項４】
複数のスリットが形成されたスリット部を有し、前記複数のスリットを閉鎖する位置に中空な閉塞部材が配置された有孔管材を地盤内に貫入し、
パイプ部材を用いて、前記閉塞部材の中空部を通って、加圧された水または加圧空気を前記閉塞部材の下方の土砂堆積部に注入して、前記閉塞部材を押し上げ、
前記複数のスリットを開放させて、前記複数のスリットから加圧された水または加圧空気を地盤内に流出させ、
前記加圧された水または加圧空気によって、前記中空な閉塞部材が押し上げて、前記複数のスリットを開放し、
前記パイプ部材を介して、注入された加圧された水または加圧空気が前記複数のスリットから地盤内に流出した後に、
前記パイプ部材内に加圧空気を供給することによって、加圧空気を前記複数のスリットから地盤内に流出させつつ、
前記閉塞部材を前記スリット部の複数のスリットを閉鎖する位置に復帰させることを特徴とする有孔管材の打ち込み方法。
【請求項５】
前記パイプ部材が前記中空な閉塞部材の前記中空部内に固定されていることを特徴とする請求項４に記載の有孔管材の打ち込み方法。
【請求項６】
前記中空な閉塞部材がその上面にカップリング部材を備え、前記パイプ部材が前記カップリング部材に連結され、前記中空な閉塞部材の前記中空部に接続されていることを特徴とする請求項４に記載の有孔管材の打ち込み方法。
【発明の詳細な説明】
【技術分野】
【０００１】
本発明は有孔管材およびその打ち込み方法に関するものであり、さらに詳細には、液状化対策が必要な緩い飽和砂地盤においても、スリットから土砂が浸入することを効果的に防止することができ、簡単にかつ効果的に、スリットの目詰まりを防止することができる有孔管材およびその打ち込み方法に関するものである。
【背景技術】
【０００２】
従来から、地下水を採取したり、土壌の汚染物質を回収したりするために、対象となる地盤にスリットなどの開口部が設けられた有孔管材を埋設する方法が知られている（たとえば、特許文献１，２など）。
【０００３】
特許文献１（特許第３４２２６８９号公報）には、地盤に打ち込む際に、シルトや粘土がスクリーン管の内部に侵入して、採水部（開口部）が詰まるのを防ぐために、矩形状のスリットを設けた外管と、円形孔を設けた内管と、外管と内管との間に介在させる網部との三重構造を有する井戸用管が開示されている。
【０００４】
また、特許文献２（特開２００８−２７４５７８号公報）には、有孔管材を地盤に打ち込む前に、スリットを地中で溶解可能な材料によって塞いでおくことで、打ち込み時の目詰まりを防止する方法が開示されている。
【０００５】
さらに、特許文献３（特開２０１２−１９３５３４号公報）には、幅が0.2 mmないし0.6mmの複数のスリットが、スリットの総開口面積が管体の内空断面積の3倍以下になるように、形成された有孔管材が開示されている。
【先行技術文献】
【特許文献】
【０００６】
【特許文献１】特許第３４２２６８９号公報
【特許文献２】特開２００８−２７４５７８号公報
【特許文献３】特開２０１２−１９３５３４号公報
【発明の概要】
【発明が解決しようとする課題】
【０００７】
しかしながら、特許文献１には、有孔管材の打設時における目詰まり防止対策については何ら言及されておらず、特許文献１，２には、地盤に有孔管材を打ち込んだ後に発生するスリットの目詰まりに対して、その解消策が何ら開示されていない。
【０００８】
とくに、特許文献１に開示された三重構造の有孔管材は、外管のスリットが目詰まりした場合に、洗浄用のブラシを挿入しても、内管の外側にある外管の孔にまでブラシの毛先が届かないので、ブラシで目詰まりしたシルトや粘土を取り除くことができない。
【０００９】
また、特許文献１においては、内管に高圧洗浄水を送って洗浄する場合でも、内管の孔を通して外管側に洗浄水が流れることになるので、スリットに詰まったシルトや粘土を洗い流す力が弱く、効果的な井戸内洗浄が行えないおそれがある。
【００１０】
さらに、特許文献３（特開２０１２−１９３５３４号公報）に開示された有孔管材は、所定の条件を満たせば、空気注入を阻害するような目詰まりは回避可能であり、好ましいが、細粒分が多く、液状化対策が必要な緩い飽和砂地盤に用いる場合には、スリットを介して、大量の土砂が管内に流入し、管内洗浄をする必要がある。
【００１１】
すなわち、液状化対策が必要な緩い飽和砂地盤において、図１（ａ）に示されるような複数のスリット１２ａが形成されたスリット部１２を有する有孔管材１１を所定の深さに打ち込むと、図１（ｂ）および図１（ｃ）に示されるように、複数のスリット１２ａから土砂４が矢印Ａのように、有孔管材１１内に浸入して、図１（ｄ）に示されるように、有孔管材１１内に土砂１４が堆積し、その結果、スリット１２ａが閉塞されるため、別途、中空のパイプ１３を有孔管材１１内に挿入し、パイプ１２内に加圧された水を供給して、複数のスリット１２ａを水洗いし、複数のスリット１２ａの目詰まりを解消させる必要があった。ことに、緩い飽和砂地盤の場合には、有孔管材１１を所定の深さに打ち込む前に、複数のスリット１２ａから土砂１４が有孔管材１１内に浸入して、スリット１２ａが閉塞され、より深刻な事態が生じていた。
【００１２】
また、複数のスリット１２ａから土砂が有孔管材１１内に侵入することを防止するため、有孔管材１１を所定の深さに打ち込んだ後に、キャップなどを用いて、有孔管材１１の管頭を閉塞し、空気注入パイプを接続して、加圧空気を有孔管材１１内に送り、土砂１４によって閉塞されている複数のスリット１２ａの目詰まりを解消させる方法も知られているが、この方法においては、加圧空気を有孔管材１１内に送った後に、有孔管材１１の管頭を閉塞していたキャップを取り外すと、有孔管材１１の空気の圧力が低下し、複数のスリット１２から土砂１４が有孔管材１１内に浸入して、有孔管材１１内に土砂１４が堆積し、その結果、スリット１２ａが閉塞されるため、上述の方法と同様に、別途、中空のパイプ１３を有孔管材１１内に挿入し、パイプ１３内に加圧された水を供給して、複数のスリット１２ａを水洗いし、複数のスリット１２ａの目詰まりを解消させる必要があった。
【００１３】
したがって、本発明は、液状化対策が必要な緩い飽和砂地盤においても、スリットから土砂が浸入することを効果的に防止することができ、簡単にかつ効果的に、スリットの目詰まりを防止することができる有孔管材を提供することを目的とするものである。
【００１４】
本発明の別の目的は、液状化対策が必要な緩い飽和砂地盤においても、スリットから土砂が浸入することを効果的に防止することができ、簡単にかつ効果的に、スリットの目詰まりを防止することができる有孔管材の打ち込み方法を提供することにある。
【課題を解決するための手段】
【００１５】
本発明のかかる目的は、
複数のスリットが形成されたスリット部と土砂が堆積可能な土砂堆積部を備え、
前記スリット部の内面と摺動可能で、前記複数のスリットをすべて閉塞するように配置された中空な閉塞部材と、
前記中空な閉塞部材の中空部を通って、加圧された水または加圧空気を前記中空な閉塞部材の下方の前記土砂堆積部に注入可能なパイプ部材を備えた
ことを特徴とする有孔管材によって達成される。
【００１６】
また、本発明の別の目的は、
複数のスリットが形成されたスリット部を有し、前記スリット部の前記複数のスリットを閉鎖する位置に中空な閉塞部材が配置された有孔管材を地盤内に貫入し、
パイプ部材を用いて、前記中空な閉塞部材の中空部を通って、加圧された水または加圧空気を前記中空な閉塞部材の下方の土砂堆積部に注入して、前記中空な閉塞部材を押し上げ、
前記複数のスリットを開放させて、前記複数のスリットから加圧された水または加圧空気を地盤内に流出させ、
前記中空な閉塞部材の下方の前記土砂堆積部に注入された加圧された水または加圧空気によって、前記中空な閉塞部材が押し上げて、前記複数のスリットを開放し、
前記パイプ部材を介して、注入された加圧された水または加圧空気が前記複数のスリットから地盤内に流出した後に、
前記パイプ部材内に加圧空気を供給することによって、加圧空気を前記複数のスリットから地盤内に流出させつつ、
前記中空な閉塞部材を前記スリット部の複数のスリットを閉鎖する位置に復帰させて、スリットを閉鎖することを特徴とする有孔管材の打ち込み方法によって達成される。
【００１７】
本発明によれば、スリット部の複数のスリットを閉鎖する位置に閉塞部材が配置された有孔管材を地盤内に貫入し、パイプ部材を介して、加圧された水または加圧空気を閉塞部材の下方の土砂堆積部に注入して、閉塞部材を押し上げ、複数のスリットを開放させて、複数のスリットから加圧された水または加圧空気を地盤内に流出させることによって、複数のスリットが目詰まりをすることを効果的に防止することができ、さらに、閉塞部材の下方の土砂堆積部に注入された加圧された水または加圧空気によって、閉塞部材が押し上げられて、スリットが開放され、パイプ部材を介して、注入された加圧された水または加圧空気がスリットから地盤内に流出した後に、パイプ部材内に加圧空気を注入することによって、加圧空気をスリットから地盤内に流出させつつ、閉塞部材をスリット部の複数のスリットを閉鎖する位置に復帰させて、スリットを閉鎖することができ、スリットから土砂が流入することを防止して、スリットが目詰まりすることを効果的に防止することが可能になる。
【００１８】
本発明の好ましい実施態様においては、前記パイプ部材が前記中空な閉塞部材の前記中空部内に固定されている。
【００１９】
本発明の他の実施態様においては、前記中空な閉塞部材がその上面にカップリング部材を備え、前記パイプ部材が前記カップリング部材に連結され、前記中空な閉塞部材の前記中空部に接続されている。
【発明の効果】
【００２０】
本発明によれば、液状化対策が必要な緩い飽和砂地盤においても、スリットから土砂が浸入することを効果的に防止することができ、簡単にかつ効果的に、スリットの目詰まりを防止することができる有孔管材を提供することが可能になる。
【００２１】
また、本発明によれば、液状化対策が必要な緩い飽和砂地盤においても、スリットから土砂が浸入することを効果的に防止することができ、簡単にかつ効果的に、スリットの目詰まりを防止することができる有孔管材の打ち込み方法を提供することが可能になる。
【図面の簡単な説明】
【００２２】
【図１】図１は、従来の有孔管材を打ち込む工程を示す略縦断面図である。
【図２】図２は、本発明の好ましい実施態様にかかる有孔管材の略斜視図である。
【図３】図３は、本発明の好ましい実施態様にかかる有孔管材に挿入可能な閉塞部材の略斜視図である。
【図４】図４は、本発明の好ましい実施態様にかかる有孔管材を地盤に打ち込んで、所定量の空気を地盤に注入する工程を示す略縦断面図である。
【図５】図５は、本発明の別の好ましい実施態様にかかる有孔管材を地盤に打ち込んで、所定量の空気を地盤に注入する工程を示す略縦断面図である。
【図６】図６は、本発明の他の好ましい実施態様にかかる有孔管材を地盤に打ち込んで、所定量の空気を地盤に注入する工程を示す略縦断面図である。
【図７】図７は、カップリング部材とパイプとの連結部の詳細を示す略縦断面図である。
【発明を実施するための形態】
【００２３】
図２は、本発明の好ましい実施態様にかかる有孔管材の略斜視図である。
【００２４】
図２に示されるように、本発明の好ましい実施態様にかかる有孔管材１は、空気を送り出すための複数のスリット２ａが形成されたスリット部２と、スリット部２よりも有孔管材１の先端部に近い下方位置に形成され、有孔管材１内に土砂が浸入した場合に、浸入した土砂を堆積させ、複数のスリット２ａの閉塞を防止する土砂堆積部３を備えている。
【００２５】
有孔管材１には、スリット部２を閉塞して、複数のスリット２ａから土砂が浸入することを防ぐための閉塞部材４が挿入可能で、図３に示されるように、閉塞部材４は中空で、閉塞部材４の内部には、パイプ５が挿入されて固定されている。
【００２６】
閉塞部材４の材料は特に限定されるものではないが、たとえば、金属でパイプ５を接する表面に、Ｏリング（図示せず）などのシール部材が装着されたものや、ゴム、コルク、ウレタンなどが用いられる。
【００２７】
パイプ３の表面にはマーカー（図２および図３には図示されていない。）が付されている。
【００２８】
このように構成された有孔管材１を用いて、所定量の空気を地盤に注入する場合には、有孔管材１は、以下のようにして、地盤に打ち込まれる。
【００２９】
図４は、本発明の好ましい実施態様にかかる有孔管材１を地盤に打ち込んで、所定量の空気を地盤に注入するステップを示す略縦断面図である。
【００３０】
図４において、参照符号６で示すのは、パイプ５の表面に付されたマーカーである。
【００３１】
まず、図４（ａ）に示されるように、閉塞部材４がスリット部２の複数のスリット２ａを閉塞した状態で、有孔管材１が地盤内の所定の位置まで貫入される。
【００３２】
その後、スリット部２の内容積と土砂堆積部３の内容積の和の２倍ないし３倍の水が、図４（ｂ）に示されるように、パイプ５内に送り込まれ、閉塞部材４の下方の土砂堆積部３内に注入される。この状態では、パイプ５のマーカー６の高さ位置は、有孔管材１の開口端部の高さ位置と一致している。
【００３３】
次いで、図４（ｃ）に示されるように、パイプ５内に加圧空気が注入され、土砂堆積部３内の水圧が上昇される。その結果、閉塞部材４が水圧で、スリット部２の上方に押し上げられ、スリット部２の複数のスリット２ａの一部が開放され、複数のスリット２ａを通って水が地盤内に流出する。この状態では、パイプ５のマーカー６は、次第に、有孔管材１の開口端部から離れ、上方に移動する。
【００３４】
ここに、閉塞部材４は水圧によって押し上げられているから、スリット部２内の水圧および土砂堆積部３内の水圧も高く、したがって、複数のスリット２ａから土砂が浸入することを効果的に防止することが可能になり、万が一、複数のスリット２ａから土砂が浸入した場合には、スリット部２内に充満している水が土砂を洗い出して、スリット２ａが目詰まりを起こすことを効果的に防止することができる。
【００３５】
次いで、図４（ｄ）に示されるように、閉塞部材４が上方に押し上げられて、複数のスリット２ａが完全に開放され、水が複数のスリット２ａを通って、地盤内に流出するようになる。その結果、パイプ３内の空気圧力が上がらなくなり、パイプ５のマーカー６の位置が鉛直方向に一定の高さ位置に保持される。
【００３６】
複数のスリット２ａが完全に開放されて、有孔管材１内のすべての水が地盤内に流出すると、図４（ｅ）に示されるように、空気が複数のスリット２ａから地盤内に流出するようになる。
【００３７】
さらに、パイプ５に付されたマーカー６の高さ位置が有孔管材１の開口端部の高さ位置と一致するまで、パイプ５が押し下げられ、閉塞部材４が下降して、複数のスリット２ａを介して、有孔管材１内の空気を地盤内に注入する。
【００３８】
こうして、図４（ｆ）に示されるように、パイプ５が押し下げられ、マーカー６が下降して、その高さ位置が有孔管材１の開口端部の高さ位置と一致すると、閉塞部材４がスリット部２内の初期位置に戻り、スリット部２の多数のスリット２ａは閉塞部材４によって閉塞される。
【００３９】
本実施態様によれば、閉塞部材４がスリット部２の複数のスリット２ａを閉塞した状態で、有孔管材１が地盤内の所定の位置まで貫入された後に、スリット部２の内容積と土砂堆積部３の内容積の和の２倍ないし３倍の水が閉塞部材４の下方の土砂堆積部３内に注入され、次いで、土砂堆積部３内に加圧空気が注入され、その結果、閉塞部材４が水圧で、スリット部２の上方に押し上げられて、一部のスリット２ａが開放されるが、開放されたスリット２ａからは加圧された水が地盤内に流出しているから、開放されたスリット２ａから土砂が有孔管材１内に流入することを効果的に防止することができ、有孔管材１内から、水が地盤内に流出すると、その体積に見合った空気がスリット部２と土砂堆積部３内の空間に注入されるから、閉塞部材４が上昇して、スリット部２のすべてのスリット２ａが開放されても、スリット２ａからは加圧空気が地盤に注入され、この状態を保ちつつ、パイプ５が有孔管材１内に押し込まれて、スリット部２のすべてのスリット２ａが閉塞部材４によって閉塞されるから、スリット２ａから土砂が有孔管材１内に流入することを効果的に防止することが可能になる。
【００４０】
さらに、本実施態様によれば、閉塞部材４の下面に水圧を作用させることによって、閉塞部材４が押し上げられ、スリット２ａが開放されるように構成されているため、ホースから水を供給して、有孔管材１内を洗浄する場合に比して、時間も手間もかからないで、有孔管材１内を効率的に洗浄し、スリット２ａに目詰まりを解消することができる。
【００４１】
また、本実施態様によれば、スリット部２および土砂堆積部３に加圧した水を供給しているから、開放されたスリット２から土砂の侵入を防ぐことができるだけでなく、同時に、有孔管材１のスリット部２および土砂堆積部３を洗浄することもでき、目詰まりをしていたスリット２ａの目詰まりを解消することもできる。
【００４２】
図５は、本発明の別の好ましい実施態様にかかる有孔管材１を地盤に打ち込んで、所定量の空気を地盤に注入するステップを示す略縦断面図である。
【００４３】
まず、図５（ａ）に示されるように、閉塞部材４がスリット部２の複数のスリット２ａを閉塞した状態で、有孔管材１が地盤内の所定の位置まで貫入される。
【００４４】
次いで、図５（ｂ）に示されるように、加圧空気がパイプ５内に注入され、閉塞部材４の下方に位置する土砂堆積部３内に加圧空気が注入される。この状態では、パイプ５のマーカー６の高さ位置は、有孔管材１の開口端部の高さ位置と一致している。
【００４５】
次いで、図５（ｃ）に示されるように、パイプ５内に加圧空気が注入され、土砂堆積部３内の空気圧が上昇するため、閉塞部材４が空気圧で、スリット部２の上方に押し上げられ、スリット部２の複数のスリット２ａの一部が開放される。その結果、空気が複数のスリット２ａを通って、地盤内に流出する。この状態では、パイプ５のマーカー６は、次第に、有孔管材１の開口端部から離れ、上方に移動する。
【００４６】
ここに、閉塞部材４は空気圧によって押し上げられているから、スリット部２内の空気圧も高く、したがって、複数のスリット２ａから土砂が浸入することを効果的に防止することが可能になる。
【００４７】
さらに、図５（ｄ）に示されるように、閉塞部材４が上方に押し上げられて、複数のスリット２ａが完全に開放され、空気が複数のスリット２ａを通って、地盤内に流出するようになる。その結果、パイプ３内の空気圧力が上がらなくなり、パイプ５のマーカー６の位置が鉛直方向に一定の高さ位置に保持される。
【００４８】
さらに、パイプ５を押し込んで、閉塞部材４を下降させ、複数のスリット２ａを介して、有孔管材１内の空気を地盤内に注入する。
【００４９】
こうして、図５（ｅ）に示されるように、パイプ５が押し下げられ、マーカー６が下降して、その高さ位置が有孔管材１の開口端部の高さ位置と一致すると、閉塞部材４がスリット部２内の初期位置に戻り、スリット部２の複数のスリット２ａは閉塞部材４によって閉塞される。
【００５０】
本実施態様によれば、閉塞部材４がスリット部２の複数のスリット２ａを閉塞した状態で、有孔管材１が地盤内の所定の位置まで貫入された後に、パイプ５から加圧空気が閉塞部材４の下方の土砂堆積部３内に注入されるから、閉塞部材４が空気圧で、スリット部２の上方に押し上げられて、一部のスリット２ａが開放されるが、開放されたスリット２ａからは加圧された空気が地盤内に流出しているから、開放されたスリット２ａから土砂が有孔管材１内に流入することを効果的に防止することができ、有孔管材１内から空気が地盤内に流出すると、その体積に見合った空気がスリット部２と土砂堆積部３内の空間に注入されるから、閉塞部材４が上昇して、スリット部２のすべてのスリット２ａが開放されても、スリット２ａからは加圧空気が地盤に注入され、この状態を保ちつつ、パイプ５が有孔管材１内に押し込まれて、スリット部２のすべてのスリット２ａが閉塞部材４によって閉塞されるから、スリット２ａから土砂が有孔管材１内に流入することを効果的に防止することが可能になる。
【００５１】
さらに、本実施態様によれば、図４に示された実施態様に比し、有孔管材１内に加圧された水を供給するというステップが省略されるから、コストを削減することができる。
【００５２】
有孔管材１内に加圧された水を供給するか、加圧空気を供給するかの選択は、地盤条件にしたがって行い、地盤が非常に緩く、土砂が侵入しやすい地盤に対しては、加圧された水を供給するようにし、それ以外の地盤に対しては、加圧空気を供給するように、使い分けることが好ましい。
【００５３】
図６は、本発明の他の好ましい実施態様にかかる有孔管材１を地盤に打ち込んで、所定量の空気を地盤に注入するステップを示す略縦断面図である。
【００５４】
本実施態様においては、有孔管材１の閉塞部材４にはパイプ５は取り付けられておらず、閉塞部材４は、パイプ５と連結される部分にカップリング部材７を備えている。
【００５５】
図７は、カップリング部材７とパイプ５との連結部の詳細を示す略縦断面図である。
【００５６】
図７に示されるように、カップリング部材７は閉塞部材４に取り付けられたオス・カップリング７ａによって構成され、一方、パイプ５の下端部にはメス・カップリング５ａが形成され、互いに連結されている。オス・カップリング７ａには止水用のＯリング７ｂが設けられているが、Ｏリング７ｂに代えて、他のシール材を用いることができる。
【００５７】
まず、図６（ａ）に示されるように、閉塞部材４がスリット部２の複数のスリット２ａを閉塞した状態で、有孔管材１が地盤内の所定の位置まで貫入される。
【００５８】
次いで、図６（ｂ）に示されるように、パイプ５が有孔管材１内に挿入され、パイプ５が閉塞部材４のカップリング部材７と連結される。この状態では、パイプ５に付されたマーカー６の高さ位置は、有孔管材１の開口端部の高さ位置と一致している。
【００５９】
パイプ５が閉塞部材４のカップリング部材７と連結された後、スリット部２の内容積と土砂堆積部３の内容積の和の２倍ないし３倍の水が、パイプ５内に送り込まれて、閉塞部材４の下方の土砂堆積部３内に注入され、さらに、パイプ５内に加圧空気が送られる。
【００６０】
その結果、図６（ｃ）に示されるように、閉塞部材４が水圧で押し上げられて、スリット部２の複数のスリット２ａの一部が開放され、水が一部のスリット２ａを介して地盤内に流出する。この状態では、パイプ５のマーカー６は次第に上昇する。
【００６１】
さらに、図６（ｄ）に示されるように、閉塞部材４が上方に押し上げられて、すべてのスリット２ａが完全に開放され、水がスリット２ａを通って、地盤内に流出する。その結果、パイプ３内の空気圧力が上がらなくなり、パイプ５のマーカー６の位置が鉛直方向に一定の高さ位置に保持される。
【００６２】
すべてのスリット２ａが完全に開放されて、有孔管材１内のすべての水が地盤内に流出すると、図６（ｅ）に示されるように、空気が複数のスリット２ａから地盤内に流出するようになる。
【００６３】
さらに、パイプ５に付されたマーカー６の高さ位置が有孔管材１の開口端部の高さ位置と一致するまで、パイプ５が押し下げられて、閉塞部材４が下降され、その結果、複数のスリット２ａを介して、有孔管材１内の空気が地盤内に注入される。
【００６４】
こうして、図６（ｆ）に示されるように、スリット部２の多数のスリット２ａは閉塞部材４によって閉塞され、閉塞部材４がスリット部２内の初期位置に復帰する。
【００６５】
閉塞部材４がスリット部２内の初期位置に戻ると、閉塞部材４に設けられたカップリング部材７とパイプ５との連結が解除され、図６（ｇ）に示されるように、パイプ５が取り去られる。
【００６６】
本実施態様においては、図４に示された実施態様により得られる効果に加えて、パイプ５はカップリング部材７によって、閉塞部材４に連結され、閉塞部材４とは着脱自在であるので、パイプ５を再利用することができ、したがって、コストを削減することが可能になる。
【００６７】
本発明は、以上の実施態様に限定されることなく、特許請求の範囲に記載された発明の範囲内で種々の変更が可能であり、それらも本発明の範囲内に包含されるものであることはいうまでもない。
【００６８】
たとえば、図６に示された実施態様においては、パイプ５内に加圧空気を送り込むように構成されているが、パイプ５をカップリング部材７から取り外して、有孔管材１に直接、加圧空気を送り込むようにすることもできる。
【符号の説明】
【００６９】
１  有孔管材
２  スリット部
２ａ  スリット
３  土砂堆積部
４  閉塞部材
５  パイプ
５ａ  メス・カップリング
６  マーカー
７  カップリング部材
７ａ  オス・カップリング
７ｂ  Ｏリング
１１  有孔管材
１２  スリット部
１２ａ  スリット
１３  中空のパイプ
１４  土砂
【図１】
2015132127.tif 000003
【図２】
2015132127.tif 000004
【図３】
2015132127.tif 000005
【図４】
2015132127.tif 000006
【図５】
2015132127.tif 000007
【図６】
2015132127.tif 000008
【図７】
2015132127.tif 000009